(57)【要約】【課題】  設計自由度を高めつつ、壁の厚さを増すことが無い耐力壁及び当該耐力壁を用いた住宅を提供する。【解決手段】耐力壁は、鉛直方向に延びる一対の側柱と、当該一対の側柱の間の空間に配設されるブレースと、を備えた耐力壁であって、ブレースは、前記一対の側柱のうち一方の側柱の柱頭と、他方の側柱の柱脚とに固定される２本以上の第１の斜材と、前記一対の側柱のうち他方の側柱の柱頭と、一方の側柱の柱脚とに固定される２本以上の第２の斜材と、を有するものであり、全ての前記第１の斜材は、当該耐力壁の壁面に平行な同一面上に配置されるとともに、全ての前記第２の斜材は、前記第１の斜材よりも屋内側に設けられる。【選択図】図１
2015001115.tif 000002
【特許請求の範囲】
【請求項１】
鉛直方向に延びる一対の側柱と、当該一対の側柱の間の空間に配設されるブレースと、を備えた耐力壁であって、
前記ブレースは、前記一対の側柱のうち一方の側柱の柱頭と、他方の側柱の柱脚とに固定される２本以上の第１の斜材と、前記一対の側柱のうち他方の側柱の柱頭と、一方の側柱の柱脚とに固定される２本以上の第２の斜材と、を有するものであり、
全ての前記第１の斜材は、当該耐力壁の壁面に平行な同一面上に配置されるとともに、全ての前記第２の斜材は、前記第１の斜材よりも屋内側に設けられるものであることを特徴とする耐力壁。
【請求項２】
平板状に形成され、前記耐力壁の壁面に対して垂直であって前記第１の斜材及び前記第２の斜材の長手方向に対して平行に前記一対の側柱の柱頭及び柱脚にそれぞれ固定されるガゼットプレートを更に備え、
前記一対の側柱のうち一方の側柱の柱頭に固定された前記ガゼットプレート及び他方の側柱の柱脚に固定された前記ガゼットプレートの一方の面及び他方の面にそれぞれ第１の斜材の端部が固定されるとともに、
前記一方の側柱の柱脚に固定された前記ガゼットプレート及び前記他方の側柱の柱頭に固定されたガゼットプレートの一方の面及び他方の面にそれぞれ第２の斜材の端部が固定されることを特徴とする請求項１に記載の耐力壁。
【請求項３】
請求項１又は請求項２に記載の耐力壁を備えることを特徴とする住宅。
【発明の詳細な説明】
【技術分野】
【０００１】
本発明は、建築物の耐力壁、及び当該耐力壁を用いる住宅に関する。
【背景技術】
【０００２】
従来より、建築物には矩形のフレームの対角線上に斜材を配置した耐力壁が用いられている。そして、この耐力壁は、建築物に必要な構造耐力に応じて、当該建築物の各所に複数配置される。ところで、耐力壁には内部に斜材が配置されているので、窓やドアなどの開口部を設けることができないので、耐力壁の配置によって開口部の設計プランの自由度が低下する問題があった。
【０００３】
そこで、耐力壁を厚さ方向に２重に重ねた状態で配置した２重耐力壁が用いられている。２重耐力壁は、通常の耐力壁を２重に重ねることにより２倍の水平耐力を負担することができるので、耐力壁の壁長を短くすることができ、開口部の設計プランの自由度を高めることができる。
【先行技術文献】
【特許文献】
【０００４】
【特許文献１】特開２００１−１４０３４４号公報
【発明の概要】
【発明が解決しようとする課題】
【０００５】
しかし、２重耐力壁は、フレームを２重に配置しているので壁の厚さが増し、規格上ユニットバスに接する位置には配置が困難であるなど、設計の自由度を低下させることになる。また、壁の厚さが増すことによって、２重耐力壁を配置した位置の屋内空間が狭くなることにもなる。さらに、壁の厚さが増すことによって基礎の立ち上がり部の厚さも増す必要があり、また、フレームも２重に配置することになるので材料コストが増加する問題も有る。
【０００６】
そこで、本発明は、設計自由度を高めつつ、壁の厚さを増すことが無い耐力壁及び当該耐力壁を用いた住宅を提供することを目的とする。
【課題を解決するための手段】
【０００７】
請求項１に記載の耐力壁は、鉛直方向に延びる一対の側柱と、当該一対の側柱の間の空間に配設されるブレースと、を備えた耐力壁であって、前記ブレースは、前記一対の側柱のうち一方の側柱の柱頭と、他方の側柱の柱脚とに固定される２本以上の第１の斜材と、前記一対の側柱のうち他方の側柱の柱頭と、一方の側柱の柱脚とに固定される２本以上の第２の斜材と、を有するものであり、全ての前記第１の斜材は、当該耐力壁の壁面に平行な同一面上に配置されるとともに、全ての前記第２の斜材は、前記第１の斜材よりも屋内側に設けられるものであることを特徴としている。
【０００８】
なお、ここで「第１の斜材」及び「第２の斜材」は、長尺な丸鋼、角鋼、鋼板などの鋼材で構成するものであってもよく、又は、粘弾性の高い金属、積層ゴム、粘性流体等を用いた制震ダンパーを含むものであってもよい。
【０００９】
請求項２に記載の耐力壁は、平板状に形成され、前記耐力壁の壁面に対して垂直であって前記第１の斜材及び前記第２の斜材の長手方向に対して平行に前記一対の側柱の柱頭及び柱脚にそれぞれ固定されるガゼットプレートを更に備え、前記一対の側柱のうち一方の側柱の柱頭に固定された前記ガゼットプレート及び他方の側柱の柱脚に固定された前記ガゼットプレートの一方の面及び他方の面にそれぞれ第１の斜材の端部が固定されるとともに、前記一方の側柱の柱脚に固定された前記ガゼットプレート及び前記他方の側柱の柱頭に固定されたガゼットプレートの一方の面及び他方の面にそれぞれ第２の斜材の端部が固定されることを特徴としている。
【００１０】
請求項３に記載の住宅は、請求項１又は請求項２に記載の耐力壁を備えることを特徴としている。
【発明の効果】
【００１１】
請求項１に記載の耐力壁によると、全ての第１の斜材は、当該耐力壁の壁面に平行な同一面上に配置されるとともに、全ての第２の斜材は、第１の斜材よりも屋内側に設けられるものであるので、耐力壁自体を２重に設けることなく、第１の斜材と第２の斜材とを互いに干渉しないように配置することができ、耐力壁の厚さは第１の斜材及び第２の斜材を１本づつ設けた場合と同じでよいので、耐力壁を厚くすること無く、第１の斜材及び第２の斜材を２重に配置した耐力壁を設けることができる。したがって、このように耐力壁が厚くならないことで耐力壁の配置位置が制限されることない。さらに、壁フカシが発生しないので、屋内空間を広く取ることができ、熱橋による断熱性能の低下を招くことがなく、また、柱などの材料コストを抑えることができる。
【００１２】
請求項２に記載の耐力壁によると、一対の側柱の柱頭及び柱脚にそれぞれガゼットプレートが固定されており、一方の側柱の柱頭に固定されたガゼットプレート及び他方の側柱の柱脚に固定されたガゼットプレートの一方の面及び他方の面にそれぞれ第１の斜材の端部が固定されるとともに、一方の側柱の柱脚に固定されたガゼットプレート及び他方の側柱の柱頭に固定されたガゼットプレートの一方の面及び他方の面にそれぞれ第２の斜材の端部が固定されるので、ガゼットプレートの一方の面及び他方の面にそれぞれ第１の斜材又は第２の斜材が固定されることにより、耐力壁に水平力が加わることにより斜材に引張力が加わった場合でもガゼットプレートの両面に引張力が加わるのでガゼットプレートが折曲することを抑制することができる。これにより、水平力に対する耐力壁の剛性がガゼットプレートの折曲によって低下することを回避できる。
【００１３】
請求項３に記載の住宅によると、請求項１又は請求項２のいずれかの構成を備えることで、短い壁長で高い水平耐力を負担することができるので、開口部の配置などの設計自由度の高い住宅とすることができる。
【図面の簡単な説明】
【００１４】
【図１】本実施形態に係る耐力壁を示す正面図。
【図２】本実施形態に係る耐力壁の第１の斜材のＣ部分を拡大した図。
【図３】本実施形態に係る耐力壁の図１のI-I部分の断面を切り取った拡大省略斜視拡大図。
【発明を実施するための形態】
【００１５】
以下、図１から図３を参照しつつ、本発明の耐力壁の最良の実施形態について説明する。本実施形態に係る耐力壁１は、図１に示すように、矩形に形成されるフレーム２の内側の空間にブレース３が配設されている。そして、フレーム２は、鉛直方向に延びる一対の側柱４ａ，４ｂと、一対の側柱４ａ，４ｂのそれぞれの柱頭の間に水平に架設される上枠材５と、側柱４ａ，４ｂの柱脚の間に水平に設けられる下枠材１４と、側柱４ａ，４ｂの鉛直方向の中央に架設される中間水平材７と、を溶接して形成されている。
【００１６】
一対の側柱４ａ，４ｂは、溝が互いに対向するように配置されたリップ溝型鋼で構成され、その下端が図示しない基礎アンカーボルト又は梁に固定され、上端が図示しない梁に固定される鉛直方向に延びる柱である。また、上枠材５は、リップ溝型鋼により構成されて、一対の側柱４ａ，４ｂの柱頭に架設されている。
【００１７】
下枠材１４は、リップ溝型鋼により形成されて、側柱４ａ，４ｂの間に水平に固定されている。また、中間水平材７は、例えばリップ溝型鋼であって、側柱４ａ，４ｂの鉛直方向の中央に水平に架設されており、中心にブレース３を挿通できる不図示の孔が設けられている。
【００１８】
ブレース３を構成する第１の斜材８及び第２の斜材９はそれぞれ２本づつ配置された丸鋼である。なお、ブレースは丸鋼に限定されるものではなく、耐力壁の斜材として用いることができる長尺材であれば如何なる材料であってもよい。
【００１９】
一対の側柱４ａ，４ｂの柱頭及び柱脚には、図２及び図３に示すように、それぞれ三角形の鋼板の２枚の挟持プレート１０が互いに平行にリップ部から対向する側柱４ａ，４ｂ側に向かって溶接されている。そして、この挟持プレート１０の間には、矩形平板状のガゼットプレート１１が当該挟持プレート１０に挟まれて溶接固定されている。そして、第１の斜材８は、図１における右側の側柱４ａの柱頭に挟持プレート１０を介して固定されているガゼットプレート１１の一方の面に一方の第１の斜材８の上端が溶接されており、他方の面に他方の第１の斜材８の上端が溶接されている。そして、左側の側柱４ｂの柱脚に挟持プレート１０を介して固定されているガゼットプレート１１の一方の面に一方の第１の斜材８の下端が溶接されており、他方の面に他方の第１の斜材８の下端が溶接されている。一方の第１の斜材８と他方の第１の斜材８とは互いに交叉しないように耐力壁１の壁面に平行な同一面上に配置される。
【００２０】
また、第２の斜材９は、図１における左側の側柱の４ｂ柱頭に挟持プレート１０を介して固定されているガゼットプレート１１の一方の面に一方の第２の斜材９の上端が溶接されており、他方の面に他方の第２の斜材９の上端が溶接されている。そして、右側の側柱４ａの柱脚に挟持プレート１０を介して固定されているガゼットプレート１１の一方の面に一方の第２の斜材９の下端が溶接されており、他方の面に他方の第２の斜材９の下端が溶接されている。一方の第２の斜材９と他方の第２の斜材９とは互いに交叉しないように、且つ第１の斜材８よりも屋内側に、耐力壁１の壁面に平行な同一面上に配置される。
【００２１】
このように耐力壁１の壁長を長くすること無く、第１の斜材８及び第２の斜材９を２重に配置した耐力壁１を設けることができ、第１の斜材８及び第２の斜材９を１本づつ配置するよりも大きな水平耐力を負担することができる。したがって、住宅の耐力壁１を設置する壁長を減らすことができ、開口部等の配置の自由度を高めることができる。
【００２２】
また、全ての第１の斜材８が、耐力壁１の壁面に平行な同一面上に配置されており、全ての第２の斜材９は、第１の斜材８よりも屋内側に設けられるものであるので、耐力壁１の厚さは第１の斜材８及び第２の斜材９を１本づつ設けた場合と同じで、第１の斜材８と第２の斜材９とを互いに干渉しないように配置することができる。そして、耐力壁を厚くすることがないので、耐力壁の配置位置が制限されることない。さらに、壁フカシが発生しないので、屋内空間を広く取ることができ、熱橋による断熱性能の低下を抑制し、また、柱などの材料コストを抑えることができる。
【００２３】
さらに、一対の側柱４ａ，４ｂの柱頭及び柱脚にそれぞれガゼットプレート１１が固定されており、一方の側柱４ａの柱頭に固定されたガゼットプレート１１及び他方の側柱４ｂの柱脚に固定されたガゼットプレート１１の一方の面及び他方の面にそれぞれ第１の斜材８の端部が固定されるとともに、一方の側柱４ａの柱脚に固定されたガゼットプレート１１及び他方の側柱４ｂの柱頭に固定されたガゼットプレート１１の一方の面及び他方の面にそれぞれ第２の斜材９の端部が固定されるので、ガゼットプレート１１の一方の面及び他方の面にそれぞれ第１の斜材８又は第２の斜材９が固定されることにより、耐力壁１に水平力が加わることにより斜材８，９に引張力が加わった場合でもガゼットプレート１１の両面に引張力が加わることによりガゼットプレート１１が折曲することを抑制し、耐力壁の水平力に対する剛性の低下を抑制することができる。
【００２４】
なお、本発明の実施の形態は上述の形態に限ることなく、本発明の思想の範囲を逸脱しない範囲で適宜変更することができることは云うまでもない。
【産業上の利用可能性】
【００２５】
本発明に係る耐力壁１は短い壁長で大きな水平耐力を負担でき、住宅の設計自由度を上げることができる耐力壁１として好適に用いることができる。
【符号の説明】
【００２６】
１            耐力壁
３            ブレース
４ａ，４ｂ    側柱
８            第１の斜材
９            第２の斜材
１１          ガゼットプレート
【図１】
2015001115.tif 000003
【図２】
2015001115.tif 000004
【図３】
2015001115.tif 000005